(57)【要約】【課題】半田付けならびにゴムホルダへのランプ取り付けが不要であり、それにより工程時間を短縮することができる照明装置を提供する。【解決手段】電気ソケット２００に冷陰極蛍光ランプ１００が接続され、電気ソケット２００がバックフレーム３００に組み込まれる。これにより、半田付けやゴムホルダへのランプ取り付けが不要となり、よって工程を簡素化して工程時間を短縮し、ひいては工程費を低減させることができる。【選択図】図１
2007258118.tif 000002
【特許請求の範囲】
【請求項１】
バックフレームに組み込まれた冷陰極蛍光ランプにインバータから給電する照明装置において、
前記インバータから給電される電気ソケットを備え、該電気ソケットに前記冷陰極蛍光ランプが接続され、当該電気ソケットが前記バックフレームに組み込まれることを特徴とする照明装置。
【請求項２】
前記電気ソケットは、前記インバータから給電される給電部を備え、前記冷陰極蛍光ランプは、前記給電部に接触するリード線を備え、前記給電部に接触する部分の横断面が楕円形状または扁平形状を有することを特徴とする請求項１記載の照明装置。
【請求項３】
前記電気ソケットは、前記インバータから給電される給電部を備え、前記冷陰極蛍光ランプの先端から延出されたリード線が当該冷陰極蛍光ランプの端部に沿うように折り曲げられた状態の当該端部が当該リード線とともに前記給電部に嵌め込まれることを特徴とする請求項１記載の照明装置。
【請求項４】
前記端部が前記バックフレームに向けて曲げられていることを特徴とする請求項３記載の照明装置。
【請求項５】
前記端部がプレスシールされていることを特徴とする請求項３または４記載の照明装置。
【発明の詳細な説明】
【技術分野】
【０００１】
本発明は、バックフレームに組み込まれた冷陰極蛍光ランプにインバータから給電する照明装置に関する。
【背景技術】
【０００２】
液晶表示装置の背面光源や小型光源（例えば、原稿読み取り装置用の光源）などとして、バックフレームに組み込まれた冷陰極蛍光ランプにインバータから給電する照明装置が用いられる。
【０００３】
図８は、この種の照明装置１Ａの分解図である。図９は、図８のＩＩ矢視図である。  照明装置１Ａでは、そのバックフレーム２５０の前面側に設けられた反射板２５１の上に直管型の冷陰極蛍光ランプ１５０が並べられ、それらはランプ保持フック２５２により中央部を、ゴムホルダ２５３により両端部を保持されている。冷陰極蛍光ランプ１５０のリード線１５１に半田１５２で固定されたハーネス１５３は、ゴムホルダ２５３とバックフレーム２５０に設けられた孔を通り、バックフレーム２５０の背面に設けられたインバータ４００に接続されている。このバックフレーム２５０に対して、シート類３を挟んで、フロントフレーム４が取り付けられる。そして、インバータ４００からの給電により冷陰極蛍光ランプ１５０が点灯する。
【特許文献１】特開２００１−２３７０３５号公報
【特許文献２】特公平７−８９４７９５号公報
【発明の開示】
【発明が解決しようとする課題】
【０００４】
上記の如く、照明装置１Ａでは半田付けやゴムホルダへのランプ取り付けが必要である。自動化の難しいこれらの工程は人手で行うので工程時間が長くなり、そのため、工程費が高くなるという問題がある。
【０００５】
図１０（ａ）は、半田付け等を不要とした照明装置の図９に相当する部分の側面図である。図１０（ｂ）は、図１０（ａ）のＪＪ線断面図である。その他については、照明装置１Ａと同様である。
【０００６】
圧接端子５００を不図示のインバータにハーネスなどで接続し、その圧接端子５００でリード線１５１を挟み込むことで、半田付け等を不要にする。しかし、ストレート状のままのリード線１５１を挟み込んでいるため、圧接端子５００とリード線１５１とが小さい接触面積で接触する。そのため、振動や衝撃で接触や給電が不安定になる虞がある。また、接触抵抗が大きいので、その部分や電極の温度上昇が大きくなってしまう。
【０００７】
本発明は、上記の課題に鑑みてなされたものであり、その目的とするところは、半田付けならびにゴムホルダへのランプ取り付けが不要であり、それにより工程時間を短縮することができる照明装置を提供することにある。
【０００８】
また、本発明が、他に目的とするところは、圧接端子とリード線の接触とそれによる給電の安定化を図った照明装置を提供することにある。
【課題を解決するための手段】
【０００９】
上記の課題を解決するために、請求項１記載の照明装置は、バックフレームに組み込まれた冷陰極蛍光ランプにインバータから給電する照明装置において、前記インバータから給電される電気ソケットを備え、該電気ソケットに前記冷陰極蛍光ランプが接続され、当該電気ソケットが前記バックフレームに組み込まれることを特徴とする。
【００１０】
請求項１記載の照明装置によれば、インバータから給電される電気ソケットに冷陰極蛍光ランプが接続され、電気ソケットがバックフレームに組み込まれる構成としたことで、半田付けならびにゴムホルダへのランプ取り付けが不要となり、よって工程を簡素化して工程時間を短縮し、ひいては、工程費を低減させることができる。
【００１１】
請求項２記載の照明装置は、請求項１記載の照明装置において、前記電気ソケットは、前記インバータから給電される給電部を備え、前記冷陰極蛍光ランプは、前記給電部に接触するリード線を備え、前記給電部に接触する部分の横断面が楕円形状または扁平形状を有することを特徴とする。
【００１２】
請求項２記載の照明装置によれば、給電部に接触するリード線部分の横断面が楕円形状または扁平形状を有することで、接触面積が広くなるので、給電部とリード線の接触ならびにそれによる給電を安定させることができる。つまり、振動や衝撃に起因して接触や給電が不安定になる可能性を低くできる。また、接触抵抗が小さくなるので、その部分ひいては冷陰極蛍光ランプの温度上昇を小さくすることができる。
【００１３】
請求項３記載の照明装置は、請求項１記載の照明装置において、前記電気ソケットは、前記インバータから給電される給電部を備え、前記冷陰極蛍光ランプの先端から延出されたリード線が当該冷陰極蛍光ランプの端部に沿うように折り曲げられた状態の当該端部が当該リード線とともに前記給電部に嵌め込まれることを特徴とする。
【００１４】
請求項３記載の照明装置によれば、端部がリード線とともに給電部に嵌め込まれる構成としたことで、リード線をその径に合わせた給電部に嵌め込む際にリード線が折れ曲がるようなことがなく、よって、電気ソケットと冷陰極蛍光ランプの接続を容易に行うことができる。
【００１５】
請求項４記載の照明装置は、請求項３記載の照明装置は、前記端部が前記バックフレームに向けて曲げられていることを特徴とする。
【００１６】
請求項４記載の照明装置によれば、冷陰極蛍光ランプの端部つまり暗い部分を隠すようにバックフレームに向けて曲げたことで、照明装置の端部ひいては全体を明るくすることができる。
【００１７】
請求項５記載の照明装置は、請求項３または４記載の照明装置において、前記端部がプレスシールされていることを特徴とする。
【００１８】
請求項５記載の照明装置によれば、端部をプレスシールすることで、給電部に嵌め込まれた冷陰極蛍光ランプがその外周方向に回転するのを防止する作用が働き、よって、給電部とリード線の接触ならびにそれによる給電を安定させることができる。つまり、振動や衝撃に起因して接触や給電が不安定になる可能性を低くできる。
【発明の効果】
【００１９】
本発明の照明装置によれば、インバータから給電される電気ソケットに冷陰極蛍光ランプが接続され、電気ソケットがバックフレームに組み込まれる構成としたことで、半田付けが不要となり、よって工程を簡素化して工程時間を短縮し、ひいては、工程費を低減させることができる。
【発明を実施するための最良の形態】
【００２０】
以下、本発明の実施の形態を図面を用いて説明する。この照明装置は、例えば、液晶表示装置の背面光源や原稿読み取り装置用の小型光源として使用されるものである。なお、同一要素に同一符号を付し、重複説明を省略する。
【００２１】
［第１の実施の形態］
図１は、第１の実施の形態に係る照明装置１の分解図である。図２（ａ）は、図１の符号１Ａで示す部分の拡大図である。図２（ｂ）は、図２（ａ）のＡＡ矢視図である。
【００２２】
照明装置１では、そのバックフレーム３００の前面側に、図８と同様に、直管型の冷陰極蛍光ランプ１００が並ぶようになっており、図１および２に示す冷陰極蛍光ランプ１００はその内の１つである。なお、反射板２５１は図示省略した。
【００２３】
冷陰極蛍光ランプ１００においては、直管形のガラスバルブ１０１の内壁に紫外線による刺激で発光する蛍光体層と保護被覆膜が形成され、ガラスバルブ１０１の内部にネオンやアルゴルを用いた希ガスまたはこのような希ガスと水銀が放電媒体として封入される。ガラスバルブ１０１の両端の内部に、例えば有底筒状の電極１０２が配置される。電極１０２の底面部にはリード線１０３が接続され、その先端に近い方の部分がガラスバルブ１０１の外部に延出されている。リード線１０３と電極１０２の底面部は、封着線１０４を介して溶接されている。封着線１０４は、ビードガラス１０５を介してガラスバルブ１０１の端部に封着される。
【００２４】
図２（ａ）に示すように、リード線１０３の先端に近い方の部分は湾曲して湾曲部１０３ａを構成し、その先端はガラスバルブ１０１の軸を延長した線上にほぼ位置している。図２（ｂ）に示すように、湾曲部１０３ａはプレスにより、その横断面が楕円形状または扁平形状を有する。他方のリード線１０３も同様の湾曲部１０３ａを備えている。
【００２５】
バックフレーム３００には、ポリカーボネートなどで作られた電気ソケット２００が取り付けられ、上記した各湾曲部１０３ａが、電気ソケット２００に接続される。これで、ガラスバルブ１０１の中央部が、バックフレーム３００のランプ保持フック２５２に保持される。
【００２６】
具体的には、電気ソケット２００は、各湾曲部１０３ａを接続する位置に給電部２０１を備える。給電部２０１は、電気ソケット２００が備える側板の内側下部から斜め上方に延出されてから、斜め下方に折り曲げられた導体（金属）である。
【００２７】
湾曲部１０３ａは、その先端を上方に向けた状態で、給電部２０１の曲げヶ所より先の部分に位置合わせされる。そして、円筒状の治具２０２が矢印Ｂで示すように湾曲部１０３ａに嵌め込まれ、さらに押し込まれる。
【００２８】
これで、給電部２０１は、さらに曲がり、給電部２０１と湾曲部１０３ａの間の摩擦力で、冷陰極蛍光ランプ１００が位置を固定される。
【００２９】
なお、電気ソケット２００をポリカーボネートなどで作ることにより、ゴムホルダを使用する場合に比べて、冷陰極蛍光ランプ１００の位置を強固に固定することができる。
【００３０】
そして、バックフレーム３００に対して、シート類３を挟んで、図示しないフロントフレーム４が取り付けられる。
【００３１】
また、図示しないが、給電部２０１は、例えば、バックフレーム３００の背面側にも延出され、そこでコネクタによりインバータ４００と接続される。あるいは、給電部２０１はハーネス経由でインバータ４００に接続される。これにより、インバータ４００から給電部２０１とリード線１０３を経由して冷陰極蛍光ランプ１００への給電がなされる。
【００３２】
したがって、第１の実施の形態に係る照明装置１によれば、インバータ４００から給電される電気ソケット２００に冷陰極蛍光ランプ１００が接続され、電気ソケット２００がバックフレーム３００に組み込まれる構成としたことで、半田付けならびにゴムホルダへのランプ取り付けが不要となり、よって工程を簡素化して工程時間を短縮し、ひいては工程費を低減させることができる。
【００３３】
また、照明装置１によれば、湾曲部１０３ａの横断面が楕円形状または扁平形状を有することで、給電部２０１との接触面積が広くなるので、給電部２０１とリード線１０３の接触ならびにそれによる給電を安定させることができる。つまり、振動や衝撃で接触と給電が不安定になる可能性を低くできる。また、接触抵抗が小さくなるので、その部分ひいては電極１０２の温度上昇を小さくすることができる。
【００３４】
［第２の実施の形態］
図３（ａ）は、第２の実施の形態に係る照明装置１０の分解図である。図３（ｂ）は、図３（ａ）のＣＣ矢視図である。図４は、図３（ｂ）の符号１０Ａで示す部分の拡大図である。
【００３５】
やはり、照明装置１０では、そのバックフレーム３００の前面側に冷陰極蛍光ランプ１１０が並ぶようになっており、図３、４に示す冷陰極蛍光ランプ１１０はその内の１つである。なお、反射板２５１は図示省略した。
【００３６】
図３（ａ）、図４に示すように、ガラスバルブ１０１の先端から延出されたリード線１０３がガラスバルブ１０１の端部に沿うように折り曲げられている。この状態のガラスバルブ１０１の端部に対して、矢印Ｄの方向に電気ソケット２１０が嵌め込まれ、その電気ソケット２１０がバックフレーム３００に取り付けられる。
【００３７】
電気ソケット２１０は、具体的には、ガラスバルブ１０１の端部を嵌め込むように作られた導体である給電部２１１を備え、そこにガラスバルブ１０１の端部がリード線１０３とともに嵌め込まれる。その他については、照明装置１と同様である。
【００３８】
したがって、第２の実施の形態に係る照明装置１０によれば、ガラスバルブ１０１の端部に沿うようにリード線１０３が曲げられた状態の当該端部をリード線１０３とともに給電部２１１に嵌め込む構成としたことで、やはり、半田付け等が不要となり、よって工程の簡素化と工程時間の短縮が可能となる。
【００３９】
なお、このように、リード線１０３を折り曲げない照明装置を考えた場合、その照明装置の給電部はリード線１０３の径に合わせて小さく作られる。よって、その給電部にリード線１０３を差し込もうとすると、リード線１０３が折れ曲がるなどして、差し込みにくくなる。
【００４０】
しかし、照明装置１０によれば、リード線１０３をガラスバルブ１０１の端部に沿って折り曲げたことで、給電部２１１をガラスバルブ１０１の径に合わせて大きく作ることができる。よって、電気ソケット２１０と冷陰極蛍光ランプ１１０の接続を容易に行うことができる。
【００４１】
図５は、第２の実施の形態の変形例に係る照明装置１１の図４に相当する図である。
【００４２】
照明装置１１では、ガラスバルブ１０１の端部を、矢印Ｅの方向に両側からプレスシールし、そのとき形成された２つのプレス面の一方に沿うようにリード線１０３が曲げられている。その他については、照明装置１０と同様である。
【００４３】
したがって、照明装置１１によれば、ガラスバルブ１０１の端部をプレスシールすることで、給電部２１１に嵌め込まれたガラスバルブ１０１がその外周方向に回転するのを防止する作用が働き、よって、給電部２０１とリード線１０３の接触ならびにそれによる給電を安定させることができる。つまり、振動や衝撃で接触と給電が不安定になる可能性を低くできる。
【００４４】
［第３の実施の形態］
図６（ａ）は、第３の実施の形態に係る照明装置２０の分解図である。図６（ｂ）は、図６（ａ）のＦＦ矢視図である。
【００４５】
照明装置２０では、バックフレーム３００からランプ保持フック２５２を除いたバックフレーム３０１が用いられ、その前面側に冷陰極蛍光ランプ１１１が並ぶようになっている。図６に示す冷陰極蛍光ランプ１１１はその内の１つである。なお、反射板２５１は図示省略した。
【００４６】
図６に示すように、冷陰極蛍光ランプ１１１が備えるガラスバルブ１０１ａの端部は、ほぼ直角に折り曲げられている。そして、この端部が、矢印Ｇで示すようにして、電気ソケット２１０の給電部２１１に嵌め込まれ、電気ソケット２１０がバックフレーム３０１に取り付けられる。その他については、照明装置１０と同様である。なお、照明装置１１のようにプレスシールを施しても良い。
【００４７】
ガラスバルブ１０１ａの両端部は光量が少ないので暗く、その間の部分は明るいので、図６に示すように、その端部をバックフレーム３０１に向けて曲げたことで、その前面側に明るい部分が位置し、暗い端部が背面側に隠れることとなる。これにより、照明装置２０の端部ひいては全体を明るくできる。よって、これを液晶表示装置などに用いると、いわゆるその額縁領域を狭くできる。
【００４８】
図７（ａ）は、図１０の照明装置の改良を図った照明装置の図１０（ａ）に相当する部分の側面図である。図７（ｂ）は、ＨＨ線断面図である。その他については、照明装置１Ａと同様である。
【００４９】
図７のように１回、または２回以上折り曲げたリード線１５１において重なり合っている部分を圧接端子５００で挟み込むことで、圧接端子５００とリード線１５１とが接触面積が広く（図７の場合は２倍程度に）なり、圧接端子５００とリード線１５１の接触ならびにそれによる給電を安定させることができる。つまり、振動や衝撃に起因して接触や給電が不安定になる可能性を低くできる。また、接触抵抗が小さくなるので、その部分ひいては電極の温度上昇を小さくすることができる。
【図面の簡単な説明】
【００５０】
【図１】図１は、第１の実施の形態に係る照明装置１の分解図である。
【図２】図２（ａ）は、図１の符号１Ａで示す部分の拡大図である。図２（ｂ）は、図２（ａ）のＡＡ矢視図である。
【図３】図３（ａ）は、第２の実施の形態に係る照明装置１０の分解図である。図３（ｂ）は、図３（ａ）のＣＣ矢視図である。
【図４】図４は、図３（ｂ）の符号１０Ａで示す部分の拡大図である。
【図５】図５は、第２の実施の形態の変形例に係る照明装置１１の図４に相当する図である。
【図６】図６（ａ）は、第３の実施の形態に係る照明装置２０の分解図である。図６（ｂ）は、図６（ａ）のＦＦ矢視図である。
【図７】図７（ａ）は、図１０の照明装置の改良を図った照明装置の図１０（ａ）に相当する部分の側面図である。図７（ｂ）は、ＨＨ線断面図である。
【図８】図８は、従来の照明装置１Ａの分解図である。
【図９】図９は、図８のＩＩ矢視図である。
【図１０】図１０（ａ）は、半田付け等を不要とした照明装置の図９に相当する部分の側面図である。図１０（ｂ）は、図１０（ａ）のＪＪ線断面図である。
【符号の説明】
【００５１】
１、１０、１１、２０…照明装置
１００、１１０、１１１…冷陰極蛍光ランプ
１０１、１０１ａ…ガラスバルブ
１０３…リード線
１０３ａ…湾曲部
２００、２１０…電気ソケット
２０１、２１１…給電部
２０２…治具
３００、３０１…バックフレーム
４００…インバータ
【図１】
2007258118.tif 000003
【図２】
2007258118.tif 000004
【図３】
2007258118.tif 000005
【図４】
2007258118.tif 000006
【図５】
2007258118.tif 000007
【図６】
2007258118.tif 000008
【図７】
2007258118.tif 000009
【図８】
2007258118.tif 000010
【図９】
2007258118.tif 000011
【図１０】
2007258118.tif 000012